(57)【要約】【課題】  従来の肩紐フック状係止具は、環状部とフック部から形成されており、且つ肩紐を環状部に係止、連結するには、肩紐の端部を環状部内に挿通し、更に縫着などの手段を介して輪状に形成して係止する必要があり、従って肩紐と環状部との係止作業が煩雑であり、また肩紐の着脱に手数を要するなどの課題があった。【解決手段】  カップ部や土台部の前中心上縁部並びにバック部に夫々細幅テープ生地を輪状に形成したフック状係止具受け部材を設けると共に、フック状係止具をＺ字型に形成し、予め輪状に形成した肩紐や装飾物の端部とフック状係止具との係止作業が容易になり、裏面側にフック状係止具を設けた適宜の装飾物を肩紐やカップ部、土台部の前中心上縁部並びにバック部に容易に係止して美観に優れた外観が得られるようにしたものである。【選択図】図１
2006104610.tif 000002
【特許請求の範囲】
【請求項１】
カップ部、土台部、バック部、肩紐及び装飾物からなるブラジャーにおいて、前記カップ部と前記土台部の前中心上縁部とバック部の上縁部の一つにフック状係止具受け部材を設け、且つ前記肩紐の両端部に装着自在なフック状係止具を設けると共に、装飾物にフック状係止具を固定して構成したことを特徴とする装飾物付きブラジャー。
【請求項２】
フック状係止具受け部材が細幅テープ生地を二つ折りにして、輪状を形成するように縫着して構成されたことを特徴とする請求項１に記載の装飾物付きブラジャー。
【請求項３】
前中心上縁部に付設されフック状係止具受け部材において、フック状係止具のフック部を挿通可能にした切欠孔が少なくとも２個設けられたテープ状生地からなることを特徴とする請求項１〜請求項２のいずれかに記載の装飾物付きブラジャー。
【請求項４】
フック状係止具のフック部が、片側開放型で且つスリット状に形成されており、スリット状の開口部をフック状係止具受け部材側に係止自在に設けたことを特徴とする請求項１〜請求項３のいずれかに記載の装飾物付きブラジャー。
【請求項５】
装飾物に付設されたフック状係止具が略Ｚ字型に形成され、且つ係止部が片側開放型のフック部であり、更にスリット状のフック部が左右方向に一対設けられ、同スリット内に肩紐を挿通することにより、肩紐の任意の位置に装飾物を係止できるようにしたことを特徴とする請求項１〜請求項４のいずれかに記載の装飾物付きブラジャー。
【請求項６】
装飾物付きブラジャーのブラジャー部が、水着、ブラスリップ、キャミソール等から選ばれたものであることを特徴とする請求項１〜請求項４のいずれかに記載の装飾物付きブラジャー。
【発明の詳細な説明】
【技術分野】
【０００１】
本発明は、カップ部や土台部、バック部にフック状係止具受け部材を設けてフック状係止具を有する肩紐や装飾物を係止自在に設けた装飾物付きブラジャーに関するものである。
【背景技術】
【０００２】
従来、ブラジャーの肩紐８に設けたフック状係止具８０は、例えば図１７に示すように環状部８２とフック部８３から形成されており、また所要長さのテープ生地を半折りし、輪状に形成してカップ部２の上端縁３７裏面側に重合、縫着８５することにより、フック状係止具受け部材８６が形成される。尚、前記環状部８２内に肩紐８の端部を挿通し、更に縫着等による周知の手段を介して肩紐８の端部側を輪状に形成するようにしてある。更に輪状に形成したフック状係止具受け部材８６内にフック状係止具８０のフック部８３を挿通、係止することにより、肩紐８がカップ部２側に、係止、連結されるのである。またバック部の上端縁側においても同様にフック状係止具受け部材を設けて前記同様に同受け部材内にフック状係止具のフック部を挿通、係止することにより、肩紐がバック部側に係止、連結されるのである。
【０００３】
ところで上記フック状係止具８０の環状部８２は、輪状に形成されているので、肩紐８の端部を同係止具８０側に係止、連結するためには、肩紐８の端部を環状部８２内に挿通し、次いで縫着などの手段により、肩紐８の端部を輪状に縫着、形成して係止する必要があった。したがって肩紐８の端部を環状部８２側に挿通し、更に輪状に縫着、形成するための係止、縫着作業等が煩雑で、多くの手数を必要とし、更に肩紐８の端部を環状部８２側に一旦係止、連結すると、輪状に縫着された縫着部位の縫目解き作業に多くの手数を要し、さらに同装飾物を肩紐に係止する場合、装飾物をテープ生地を介して縫い付けるのが一般的であり、取り外しや移動が出来ないという欠点があった。
【０００４】
【特許文献１】特開２００４−４４０５２号及び実用新案登録第３１００８８８号公報
【発明の開示】
【発明が解決しようとする課題】
【０００５】
解決しようとする問題点は、上記フック状係止具の環状部は、輪状に形成されているので、肩紐の一端部を同係止具側に係止、連結するためには、肩紐の一端部を環状部に挿通し、更に縫着などの手段により肩紐の端部を輪状に形成して係止する必要があった。従って係止作業が煩雑で、多くの手数を要する欠点があり、またフック状係止具に適宜の装飾物を設け、肩紐等に係止、連結する場合も同様に連結作業が煩雑で多くの手数を要し、装飾物による美麗な外観を有するブラジャーが得られにくい欠点がある。
【課題を解決するための手段】
【０００６】
本発明は、カップ部や土台部、バック部、肩紐及び装飾物からなるブラジャーにおいて、カップ部や土台部の前中心上縁部、バック部の上縁部にフック状係止具受け部材を設け、且つフック状係止具をＺ字型に構成したことにより、予め端部を輪状に形成した肩紐をフック状係止具に容易に挿入し、係止することができ、更にフック状係止具を有する装飾物を肩紐や土台部の前中心上縁部及びバック部などに容易に係止、連結することができ、係止作業が容易で、且つ美麗な外観を有する装飾物付きのブラジャーが容易に得られるように構成したことを最も主要な特徴とするものである。
【０００７】
本発明は、カップ部や土台部の前中心上縁部、バック部に細幅生地を半折して輪状に形成したフック状係止具受け部材を設けると共に、同部材に複数個の切欠孔を設けてフック状係止具の挿入位置の位置変更を容易にすることにより、肩紐の装着位置の変更が可能で着用感が向上し得るのである。またフック状係止具をＺ字型に形成して肩紐の両端部と同係止具の着脱が容易となり、優れた着用感や外観に富んだ装飾物付きのブラジャーが得られるように構成したことを主要な特徴とするものである。
【発明の効果】
【０００８】
本発明では、カップ部や土台部の前中心上縁部、バック部に細幅生地を半折して輪状に形成したフック状係止具受け部材を設けると共に、同部材に係止するフック状係止具をＺ字型に形成したことにより、輪状に形成した肩紐の端部と同係止具の係止、連結作業が簡素化されて容易となり、またフック状係止具受け部材に複数個の切欠き孔を設けることにより、肩紐や装飾物の位置調整が容易になり、更にフック状係止具を有する装飾物をカップ部や土台部、バック部或いは肩紐に対して係止自在としたことにより、装飾性や美観に富み、着用感や外観の優れたブラジャーを得ることができるものである。
【発明を実施するための最良の形態】
【０００９】
本発明は、輪状に形成した肩紐の両端部並びに装飾物に係止自在なフック状係止具を設け、且つカップ部や土台部、バック部にフック状係止具受け部材を設け、同部材に対して肩紐や装飾物の係止、連結を容易にし、装飾性や美観に富み、着用感の優れたブラジャーが得られるようにしたものである。
【実施例１】
【００１０】
図１〜図４において、１はブラジャーで、２はカップ部、３は土台部、４はバック部、８は肩紐、１０は花弁による模様片などで形成した装飾物で、カップ部２、２間で且つ土台部３の前中心上縁部、即ち土台部３の上縁部１２の表面側に設けてあり、また同装飾物１０の裏面側にはフック状係止具１５を縫着１７などの手段を介して取付け、固定してある。尚、フック状係止具１５は、略Ｚ字型に形成してあり、１８は同係止具１５の支持部で、同支持部１８の上下側には一対の上下対称な上側フック部２０及び下側フック部２１を夫々設けてあり、且つ同フック部２０、２１の夫々の片側開口部のスリット間隙幅を２ｍｍとし、更にスリット長さを１０ｍｍとしたフック状係止具を用いた。
【００１１】
２５は細幅テープ生地を幅方向で半折して輪状に形成したフック状係止具受け部材で、同部材２５を土台部３の上縁部１２の表裏両面側に逆Ｕ字状に重合、掛け渡し、且つフック状係止具受け部材２５の下方位置と土台部３を縫着２７等の手段を介して一体的に固定してある。尚、装飾物１０を土台部３の上縁部１２の表面側に係止、連結するためには、装飾物１０の裏面側に固定されたフック状係止具１５の上側フック部２０を輪状のフック状係止具受け部材２５の間隙部に挿通することにより、図４の如く、土台部３の上縁部１２側に装飾物１０を連結、係止できるのである。
【００１２】
図５は肩紐８の一端部２８をカップ部２の上端縁部３７に係止し、連結した状態を示したものである。即ち輪状に形成された肩紐８の一端部２８の間隙部にフック状係止具１５の上側フック部２０を挿通して係止しておき、更にカップ部２の上端縁部３７裏面側に逆Ｕ字状、即ち輪状に重合し、適宜に縫着３３し、固定したフック状係止具受け部材３５内に下側フック部２１を挿通して肩紐８の一端部２８をカップ部２の上端縁部３７側に係止、連結するようにしたものである。
【００１３】
図６は肩紐８の他端部２９をバック部４の上端縁部３８に係止し、連結した状態を示したものである。即ち輪状に形成された肩紐８の他端部２９をバック部４の上端縁部３８に連結する際、輪状に形成された肩紐８の他端部２９の間隙部内にフック状係止具１５の上側フック部２０を挿通して係止しておき、更にバック部４の上端縁部３８裏面側に逆ＵP字状に重合し、適宜に縫着３４、固定したフック状係止具受け部材３６内に下側フック２１を挿通して係止しておき、肩紐８の一端部２９をバック部４の上端縁部３８側に係止、連結するようにしたものである。
【実施例２】
【００１４】
図７〜図９は、肩紐８の他端部２９に装飾物４０を設けてバック部４の上端縁部３８に係止、連結するようにした他の実施例を示したものである。即ち同装飾物４０の裏面側に縫着４１などの手段を介して取付け、固定したフック状係止具１５の上側フック部２０を輪状に形成した肩紐８の他端部２９の間隙部内に挿通して係止しておき、更にバック部４の上端縁部３８表裏面側に逆Ｕ字状に重合し、縫着４２して固定したフック状係止具用受け部材４５内に下側フック部２１を挿通し、装飾物４０付きのフック状係止具１５をバック部４の上端縁部３８側に係止、連結するようにしたものである。
【実施例３】
【００１５】
図１０〜図１２は、土台部３の上方位置に切欠孔５０、５０を有するフック状係止具受け部材５２を設け，同受け部材５２にフック状係止具１５付きの装飾物５３を係止するようにした他の実施例を示したものである。即ち装飾物５３の裏面側にフック状係止具１５を縫着５４などの手段を介して取付け、固定しておき、また幅が１０ｍｍの所要長さの細幅テープ生地を幅方向で半折りして形成してなるフック状係止具受け部材５２を土台部３の上方位置で且つ表裏面側に逆Ｕ字状（輪状）に重合し、同部材５２の下方位置と土台部３を縫着５５等の手段を介して一体的に固定しておくのである。更に土台部３の表面側に位置する輪状のフック係止用受け部材５２に切欠き孔の長さを４ｍｍとした切欠孔５０、５０を設けておき、同孔５０、５０内にフック状係止具１５の上側フック部２０を挿通し、係止することにより、装飾物５３を土台部３の上方位置に係止、連結できるようにしたものである。
【実施例４】
【００１６】
図１３〜図１４は、肩紐８の他端部２９に装飾物６０を設けてバック部４の上端縁部３８に係止し、連結する際、切欠孔６３を有するフック状係止具受け部材６５に装飾物６０を係止し、連結するようにした他の実施例を示したものである。即ち前述と同様に装飾物６０の裏面側にフック状係止具１５を縫着６１などの手段を介して取付け、固定し、更に輪状に形成した肩紐８の他端部２９内にフック状係止具１５の上側フック部２０を挿通して係止しておくのである。更にバック部４の上端縁部３８に逆Ｕ字状に重合、縫着６２して固定したフック係止用受け部材６５を設け，且つ同部材６５に切欠孔６３、６３、６３、６３を設けておき、同孔６３、６３内にフック状係止具１５の下側フック部２１を挿通し、係止することにより、装飾物６０をバック部４の上端縁部３８側に係止、連結できるようにしたものである。尚、前記切欠孔６３を複数個設けてあるので、下側フック部２１の係止位置を左右にズラすことにより、肩紐８の他端部２９の位置を位置調整して身体にフィットさせることもできるのである。
【実施例５】
【００１７】
図１５〜図１６は、肩紐８の途中において、肩紐８を装飾物７０に設けたフック係
止具１５に肩紐８を挿通して装飾物７０を肩紐８側に係止し、装着するようにした他の実施例を示したものである。即ち装飾物７０の裏面側に縫着７１などの手段を介して取付け、固定したフック状係止具１５の上側及び下側フック部２０、２１内に肩紐８を挿通して装飾物７０を肩紐８側に係止し、装着するようようにしたものである。
【産業上の利用可能性】
【００１８】
本発明による装飾物付きブラジャーにおいて、ブラジャー部が水着やブラスリップ、キャミソール、ボデイスーツ、カップ付きドレス等に容易に適用可能なものである。
【図面の簡単な説明】
【００１９】
【図１】本発明の第１実施例におけるブラジャーの概略正面図である。
【図２】本発明の第１実施例におけるブラジャーの概略背面図である。
【図３】本発明の第１実施例におけるフック状係止具付き装飾物の裏面図である。
【図４】本発明の第１実施例において、フック状係止具付き装飾物を土台部の上端縁に設けたフック状係止具用受け部材に係止した状態を示した縦断面図である。
【図５】本発明の第１実施例において、フック状係止具を介して肩紐をカップ部の上端部に係止、連結した状態の係止説明用背面図である。
【図６】本発明の第１実施例において、フック状係止具を介して肩紐をバック部の上端部に係止、連結した状態の係止説明用背面図である。
【図７】本発明の第２実施例において、バック部の上端部に係止、連結した肩紐の端部に装飾物を係止した状態の背面図である。
【図８】本発明の第２実施例において、装飾物に設けたフック状係止具に肩紐を係止し、且つ同係止具をバック部のフック状係止具受け部材側に係止、連結した状態の拡大裏面図である。
【図９】図７のＸ−Ｘ断面図である。
【図１０】本発明の第３実施例において、土台部の前中心上縁部に設けた２個の切欠孔を有するフック状係止具受け部材の拡大概略正面図である。
【図１１】本発明の第３実施例において、装飾物付きフック状係止具を切欠孔を有する係止具受け部材側に係止した状態を示した係止説明用拡大正面図である。
【図１２】本発明の第３実施例において、装飾物付きフック状係止具を土台部の前中心上縁部に設けたフック状係止具用受け部材に係止した状態を示した概略断面図である。
【図１３】本発明の第４実施例において、肩紐に連結した装飾物付きフック状係止具をバック部の上縁部に複数個の切欠孔を設けたフック状係止具受け部材側に係止、連結するようにした概略裏面図である。
【図１４】図１３のＹ−Ｙ断面による概略断面図である。
【図１５】本発明の第５実施例において、肩紐の途中に装飾物を設けた状態の一部切欠きによる概略正面図である。
【図１６】本発明の第５実施例において、フック状係止具付き装飾物を肩紐に挿通した状態の概略裏面図である。
【図１７】フック状係止具の環状部に肩紐の端部を係止すると共に、同係止具のフック部をカップ部の上端縁に設けたフック状係止具受け部材に係止した状態を示した従来例による背面側拡大図である。
【符号の説明】
【００２０】
１    ブラジャー
２    カップ部
３    土台部
４    バック部
８    肩紐
１０  装飾物
１５  フック状係止具
２０  上側フック部
２１  下側フック部
２５  フック状係止具受け部材
【図１】
2006104610.tif 000003
【図２】
2006104610.tif 000004
【図３】
2006104610.tif 000005
【図４】
2006104610.tif 000006
【図５】
2006104610.tif 000007
【図６】
2006104610.tif 000008
【図７】
2006104610.tif 000009
【図８】
2006104610.tif 000010
【図９】
2006104610.tif 000011
【図１０】
2006104610.tif 000012
【図１１】
2006104610.tif 000013
【図１２】
2006104610.tif 000014
【図１３】
2006104610.tif 000015
【図１４】
2006104610.tif 000016
【図１５】
2006104610.tif 000017
【図１６】
2006104610.tif 000018
【図１７】
2006104610.tif 000019